(57)【特許請求の範囲】
【請求項１】
下記の（式４）で表される架橋型ポリマー構造を有する化合物からなり、乾燥重量１ｍｇ当り１００ｎｍｏｌ以上のヒドラジド基を有する、糖鎖および／または糖の誘導体を捕捉するための粒子。
【化１】
0005485449.tif 000055
（Ｒ1は、少なくとも−Ｏ−，−ＣＯ−，および−ＣＯＮＨ−で中断されている炭素数６〜１５の炭化水素鎖，Ｒ2は、少なくとも−Ｏ−および−ＣＯ−で中断されている炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
【請求項２】
Ｒ1における炭化水素鎖の炭素数が１１であり、Ｒ2における炭化水素鎖の炭素数が４である、請求項１に記載の粒子。
【請求項３】
平均粒径０．１μｍ以上５００μｍ以下である、請求項１または２に記載の粒子。
【請求項４】
ｐＨ３〜８で安定である、請求項１から３のいずれかに記載の粒子。
【請求項５】
少なくとも１ＭＰａ以下の圧力下で安定である、請求項１から４のいずれかに記載の粒子。
【発明の詳細な説明】
【技術分野】
【０００１】
本発明は、所定の糖鎖捕捉物質を使った試料調製方法およびその方法により得られる分析試料に関する。本発明は、糖鎖捕捉物質の製造方法およびそれに用いる化合物ならびにこの化合物を重合してなる重合体に関する。また、本発明は、糖鎖捕捉物質の用途、例えば使用方法、糖鎖マイクロアレイおよびこの糖鎖マイクロアレイの用途、糖鎖アフィニティビーズおよびこの糖鎖アフィニティビーズの用途に関する。
【背景技術】
【０００２】
生体高分子とは、糖鎖、糖タンパク、糖ペプチド、ペプチド、オリゴペプチド、タンパク、核酸、脂質などの総称である。
【０００３】
また、これら生体高分子は、医学、細胞工学、臓器工学などのバイオテクノロジー分野において重要な役割を担っており、これら物質による生体反応の制御機構を明らかにすることはバイオテクノロジー分野の発展に繋がることになる。
【０００４】
この中でも、糖鎖は、非常に多様性に富んでおり、天然に存在する生物が有する様々な機能に関与する物質である。糖鎖は生体内でタンパク質や脂質などに結合した複合糖質として存在することが多く、生体内の重要な構成成分の一つである。生体内の糖鎖は細胞間情報伝達，タンパク質の機能や相互作用の調整などに深く関わっていることが明らかになりつつある。
【０００５】
なお、糖鎖とは、グルコース，ガラクトース，マンノース，フコース，キシロース，Ｎ−アセチルグルコサミン，Ｎ−アセチルガラクトサミン，シアル酸などの単糖およびこれらの誘導体がグリコシド結合によって鎖状に結合した分子の総称である。
【０００６】
例えば、糖鎖を有する生体高分子としては、細胞の安定化に寄与する植物細胞の細胞壁のプロテオグリカン、細胞の分化、増殖、接着、移動等に影響を与える糖脂質、及び細胞間相互作用や細胞認識に関与している糖タンパク質等が挙げられる。これらの生体高分子に含まれる糖鎖が、この生体高分子と互いに機能を代行、補助、増幅、調節、あるいは阻害しあいながら高度で精密な生体反応を制御する機構が次第に明らかにされつつある。さらに、このような糖鎖と細胞の分化増殖、細胞接着、免疫、及び細胞の癌化との関係が明確にされれば、この糖鎖工学と、医学、細胞工学、あるいは臓器工学とを密接に関連させて新たな展開を図ることが期待できる。
【０００７】
特許文献１には、このような糖鎖と特異的に反応しうる物質が記載されており、これらの物質を用いて糖鎖を分離などする方法が併せて記載されている。
【特許文献１】国際公開第２００４／０５８６８７号パンフレット
【発明の開示】
【０００８】
ところで、特許文献１には、糖鎖捕捉物質に捕捉された糖鎖をこの糖鎖捕捉物質より遊離する（切り出す）ために、トリフルオロ酢酸や酸性樹脂などを用いた酸処理を用いる例が記載されている。このような過酷な条件に糖鎖をさらすことは、生体試料から取り出された糖鎖の末端に結合し、かつ、酸性条件で脱離しやすい性質を持つシアル酸残基の脱離など糖鎖の変性を引き起こすおそれがあり、より穏やかな条件での糖鎖切り出しを行うことが望まれていた。なお、糖鎖に結合するシアル酸の有無および結合場所は、疾患と関連することが多く、シアル酸が完全な状態で糖鎖を分析することが望まれ、分析前の前処理段階でシアル酸の一部でも脱離してしまうと正確な糖鎖情報を得ることができなくなるものである。
【０００９】
そこで、本発明は、糖鎖および／または糖の誘導体を含む生体試料より分析試料のための糖鎖および／または糖の誘導体を、簡単な操作で分離精製することを可能にする試料調製方法、およびこの方法により得られる分析試料を提供する。また、本発明は、前記試料調製方法に用いられる糖鎖捕捉物質の製造方法およびこの製造方法に用いることができるモノマー、このモノマーを重合して得られるポリマーを提供する。また、本発明は、前記試料調製方法の用途を提供する。
【００１０】
本発明は、
（１）ヒドラジド基を含む物質Ａと、糖鎖および／または糖の誘導体とを、当該物質Ａのヒドラジド基と当該糖鎖および／または糖の誘導体の還元末端との間のヒドラゾン形成によって結合することを特徴とする試料調製方法。
（２）物質Ａがクロモフォアまたはフルオロフォアを含む部位を含むことを特徴とする（１）項に記載の試料調製方法。
（３）物質Ａが下記から選ばれる物質またはその塩である（１）項に記載の試料調製方法。
（物質Ａ）：5-Dimethylaminonaphthalene-1-sulfonyl  hydrazine  (Dansylhydrazine)；  2-hydrazinopyridine；9-fluorenylmethyl  carbazate  (Fmoc  hydrazine)；benzylhydrazine；4,4-difluoro-5,7-dimethyl-4-bora-3a,4a-diaza-s-indacene-3-propionoc  acid,  hydrazide；2-(6,8-difluoro-7-hydroxy-4-methylcoumarin)acetohydrazide；7-diethylaminocoumarin-3-carboxylic  acid,  hydrazide  (DCCH)；phenylhydrazine；1-Naphthaleneacethydrazide；2-hydrazinobenzoic  acid；biotin  hydrazide；phenylacetic  hydrazide
（４）物質Ａがアルギニン残基、トリプトファン残基、フェニルアラニン残基、チロシン残基、システイン残基およびこれら誘導体の少なくとも一つからなる部分を含む（１）項に記載の試料調製方法。
（５）物質Ａが下記（式１）の構造を有する化合物である（４）項に記載の試料調製方法。
【００１１】
【化１】
0005485449.tif 000002
【００１２】
（Ｒは  -CH3  または  -CD3  を表す）
（６）物質Ａが下記（式２）の構造を有する（１）項に記載の試料調製方法。
【００１３】
【化２】
0005485449.tif 000003
【００１４】
（Ｒは  H,  -COCH3,  -COCD3  のいずれかを示す。）
（７）物質Ａが下記（式３）で表される（１）項に記載の試料調製方法。
【００１５】
【化３】
0005485449.tif 000004
【００１６】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
（８）物質Ａが下記の（式４）で表される架橋型ポリマー構造を有する（７）項に記載の試料調製方法。
【００１７】
【化４】
0005485449.tif 000005
【００１８】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
（９）物質Ａが下記の（式５）で表される架橋型ポリマー構造を有する（７）項に記載の試料調製方法。
【００１９】
【化５】
0005485449.tif 000006
【００２０】
（ｍ，ｎはモノマーユニット数を示す。）
（１０）物質Ａが平均粒径０．１μｍ以上５００μｍ以下のポリマー粒子である（７）項〜（９）項のいずれか一項に記載の試料調製方法。
（１１）物質Ａが乾燥重量１ｍｇ当り１００ｎｍｏｌ以上のヒドラジド基を有するポリマー粒子である（７）項〜（１０）項のいずれか一項に記載の試料調製方法。
（１２）物質Ａが乾燥重量１ｍｇ当り０．５μｍｏｌ以上のヒドラジド基を有するポリマー粒子である（７）項〜（１０）項のいずれか一項に記載の試料調製方法。
（１３）物質ＡがｐＨ３〜８で安定である（７）項〜（１２）項のいずれか一項に記載の試料調製方法。
（１４）物質Ａが少なくとも１ＭＰａ以下の圧力下で安定である（７）項〜（１２）項のいずれか一項に記載の試料調製方法。
（１５）（７）項において、前記式（３）中の担体が固相基板または固相基板の表面に直接結合する物質であることを特徴とする試料調製方法。
（１６）（１）項〜（１５）項のいずれか一項に記載の試料調製方法により物質Ａと糖鎖および／または糖の誘導体とを結合させる糖鎖捕捉段階と、
前記糖鎖捕捉段階で捕捉された物質Ａと糖鎖および／または糖の誘導体との複合体に、アミノオキシ基またはヒドラジド基を含む物質Ｂを作用させて、前記複合体と前記物質Ｂの間で生じるヒドラゾン−オキシム交換反応またはヒドラゾン−ヒドラゾン交換反応により、前記糖鎖および／または糖の誘導体を前記物質Ａから切り離しつつ前記物質Ｂに結合させる糖鎖遊離段階と
を含む試料調製方法。
（１７）物質Ｂがクロモフォアまたはフルオロフォアを含む部位を含むことを特徴とする（１６）項に記載の試料調製方法。
（１８）物質Ｂが下記のヒドラジド基を含む物質またはアミノオキシ基を含む物質からなる群から選ばれる物質または塩である（１６）項に記載の試料調製方法。
（ヒドラジド基を含む物質）5-Dimethylaminonaphthalene-1-sulfonyl  hydrazine  (Dansylhydrazine)；2-hydrazinopyridine；9-fluorenylmethyl  carbazate  (Fmoc  hydrazine)；benzylhydrazine；4,4-difluoro-5,7-dimethyl-4-bora-3a,4a-diaza-s-indacene-3-propionoc  acid,  hydrazide；2-(6,8-difluoro-7-hydroxy-4-methylcoumarin)acetohydrazide；7-diethylaminocoumarin-3-carboxylic  acid,  hydrazide  (DCCH)；phenylhydrazine；1-Naphthaleneacethydrazide；2-hydrazinobenzoic  acid；phenylacetic  hydrazide；
（アミノオキシ基を含む物質）O-benzylhydroxylamine；O-phenylhydroxylamine；O-(2,3,4,5,6-pentafluorobenzyl)hydroxylamine；O-(4-nitrobenzyl)hydroxylamine；2-aminooxypyridine；2-aminooxymethylpyridine；4-[(aminooxyacetyl)amino]benzoic  acid  methyl  ester；4-[(aminooxyacetyl)amino]benzoic  acid  ethyl  ester；4-[(aminooxyacetyl)amino]benzoic  acid  n-butyl  ester。
（１９）物質Ｂがアルギニン残基、トリプトファン残基、フェニルアラニン残基、チロシン残基、システイン残基およびこれら誘導体の少なくとも一つからなる部分を含む（１６）項に記載の試料調製方法。
（２０）物質Ｂが下記の（式７）で表される構造を有する（１６）項に記載の試料調製方法。
【００２１】
【化６】
0005485449.tif 000007
【００２２】
（構造式中、Ｒは  -CH3,  -CD3  を示す。）
（２１）物質Ｂが固相担体である（１６）項に記載の試料調製方法。
（２２）物質Ｂがアミノオキシ基を含む固相担体である（２１）項に記載の試料調製方法。
（２３）物質Ｂが下記（式１２）で表される（２２）項に記載の試料調製方法。
【００２３】
【化７】
0005485449.tif 000008
【００２４】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
（２４）物質Ｂが下記の（式８）で表される構造を有するポリマー粒子である（２３）項に記載の試料調製方法。
【００２５】
【化８】
0005485449.tif 000009
【００２６】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
（２５）物質Ｂが下記の（式９）で表される構造を有するポリマー粒子である（２３）項に記載の試料調製方法。
【００２７】
【化９】
0005485449.tif 000010
【００２８】
（ｍ，ｎはモノマーユニット数を示す。）
（２６）（２１）項において、前記固相担体が固相基板または固相基板の表面に直接結合する物質であることを特徴とする試料調製方法。
（２７）（１６）項〜（２５）項のいずれか一項に記載の製造方法において、前記糖鎖遊離段階の後に、ヒドラゾン−オキシム交換またはヒドラゾン−ヒドラゾン交換反応を、少なくとも１回以上行うことを特徴とする試料調製方法。
（２８）糖鎖および／または糖の誘導体を結合させた、下記の（式３）、（式４）または（式５）で表される構造を有する物質Ａを、酸性条件で処理することにより、ヒドラゾン結合を解離させ、糖鎖および／または糖の誘導体を遊離させることを特徴とする試料調製方法。
【００２９】
【化１０】
0005485449.tif 000011
【００３０】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【００３１】
【化１１】
0005485449.tif 000012
【００３２】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
【００３３】
【化１２】
0005485449.tif 000013
【００３４】
（ｍ，ｎはモノマーユニット数を示す。）
（２９）酸性条件での処理が、０．０１〜１０体積パーセントのトリフルオロ酢酸溶液による処理である（２８）項に記載の試料調製方法。
（３０）酸性条件での処理が、０．０１〜１体積パーセントのトリフルオロ酢酸溶液による処理であり、２５〜８０℃で５〜６０分間行われる（２９）項に記載の試料調製方法。
（３１）（１）項〜（３０）項のいずれか一項に記載の試料調製方法により調製された分析試料。
（３２）下記（式３）で表される物質Ａの製造方法であって、
重合性基を含むカルボン酸エステルモノマーを含む原料を架橋剤存在下で重合させてカルボン酸エステル含有ポリマー粒子を得た後、当該カルボン酸エステル含有ポリマー粒子を１０体積パーセント以上の濃度のヒドラジン溶液で処理することを特徴とする物質Ａの製造方法。
【００３５】
【化１３】
0005485449.tif 000014
【００３６】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
（３３）前記カルボン酸エステルモノマーがカルボン酸メチルエステルである（３２）項に記載の物質Ａの製造方法。
（３４）下記の（式１０）で表される構造を有するモノマー。
【００３７】
【化１４】
0005485449.tif 000015
【００３８】
（Ｒ1  は−Ｏ−，−Ｓ−，−ＮＨ−，−ＣＯ−，−ＣＯＮＨ−で中断されてもよい炭素数１〜２０の炭化水素鎖，Ｒ2はＨ，ＣＨ3，または炭素数２〜５の炭化水素鎖を示す。）
（３５）（３４）項に記載のモノマーを重合させて得られる重合体。
（３６）下記の（式１１）で表される構造を有するモノマー。
【００３９】
【化１５】
0005485449.tif 000016
【００４０】
（３７）（３６）項に記載のモノマーを重合させて得られる重合体。
（３８）下記の（式１３）で表される構造を有するモノマー。
【００４１】
【化１６】
0005485449.tif 000017
【００４２】
（Ｒ2はＨ，ＣＨ3，または炭素数２〜５の炭化水素鎖，Ｒ6は−Ｏ−，−Ｓ−，−ＮＨ−，−ＣＯ−，−ＣＯＮＨ−で中断されてもよい炭素数１〜２０の炭化水素鎖，[P]は保護基を示す。）
（３９）（３８）項に記載のモノマーを重合させて得られる重合体。
（４０）（３９）項に記載の重合体において、前記（式１３）の保護基[P]を、酸処理により脱保護して得られる重合体。
（４１）下記の（式１４）で表される構造を有するモノマー。
【００４３】
【化１７】
0005485449.tif 000018
【００４４】
（４２）（４１）項に記載のモノマーを重合させて得られる重合体。
（４３）（４２）項に記載の重合体のt-butoxycarbonyl基を、酸処理により脱保護して得られる重合体。
（４４）下記（式４）で表される物質Ａの製造方法であって、
下記（式１０）の構造を有するモノマーを架橋剤存在下で重合してカルボン酸エステル含有ポリマー粒子を得た後、当該カルボン酸エステル含有ポリマー粒子を１０体積パーセント以上の濃度のヒドラジン溶液で処理することを特徴とする物質Ａの製造方法。
【００４５】
【化１８】
0005485449.tif 000019
【００４６】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
【００４７】
【化１９】
0005485449.tif 000020
【００４８】
（Ｒ1  は−Ｏ−，−Ｓ−，−ＮＨ−，−ＣＯ−，−ＣＯＮＨ−で中断されてもよい炭素数１〜２０の炭化水素鎖，Ｒ2はＨ，ＣＨ3，または炭素数２〜５の炭化水素鎖を示す。）
（４５）下記（式５）で表される物質Ａの製造方法であって、
下記（式１１）の構造を有するモノマーを架橋剤存在下で重合してカルボン酸エステル含有ポリマー粒子を得た後、当該カルボン酸エステル含有ポリマー粒子を１０体積パーセント以上の濃度のヒドラジン溶液で処理することを特徴とする物質Ａの製造方法。
【００４９】
【化２０】
0005485449.tif 000021
【００５０】
（ｍ，ｎはモノマーユニット数を示す。）
【００５１】
【化２１】
0005485449.tif 000022
【００５２】
（４６）混合物のまま、または、混合物から特定の画分を単離精製された糖鎖および／または糖の誘導体を固定化した固相担体を、該糖鎖および／または糖の誘導体に対して結合性または親和性を有する物質を捕集するための担持体として用いる使用方法。
（４７）下記（式３）または（式１２）で表される構造を有する物質Ｂからなる固相担体で構成される固相基板の表面に下記（工程１）〜（工程４）によって糖鎖および／または糖の誘導体を固定化する糖鎖マイクロアレイの製造方法。
（工程１）糖鎖および／または糖の誘導体と可溶性のヒドラジド基含有化合物とを結合させ、所定の分離手段によって糖鎖および／または糖の誘導体を、精製、および／または単離する工程。
（工程２）工程１で得られた化合物の溶液を、前記固相基板上に整列的に点着する工程。
（工程３）点着後の固相基板を所定の条件でインキュベートすることにより、糖鎖−物質Ａの結合を、固相基板−糖鎖の結合に交換する反応を進行させ、糖鎖および／または糖の誘導体を固相基板に固定化する工程。
（工程４）固相基板上の未反応物を洗浄除去する工程。
【００５３】
【化２２】
0005485449.tif 000023
【００５４】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【００５５】
【化２３】
0005485449.tif 000024
【００５６】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
（４８）（４７）項に記載の方法により製造される糖鎖マイクロアレイ。
（４９）（４８）項に記載の糖鎖マイクロアレイの表面に、検体を含む溶液を接触させ、所定の条件でインキュベートおよび洗浄操作を行った後に、固相基板上の点着部位の糖鎖および／または糖の誘導体に捕集された糖結合性物質を検出することにより、固定化された糖鎖および／または糖の誘導体と特異的に結合または吸着する糖結合性物質を探索するシステム。
（５０）（４８）項に記載の糖鎖マイクロアレイの表面に、検体を含む溶液を接触させ、固相基板上の点着部位の糖鎖および／または糖の誘導体に、前記検体中の糖結合性タンパク質を捕集させ、捕集した量を所定の定量化手段で定量化する結合性タンパク質の認識特異性を評価するシステム。
（５１）下記（式３）または（式１２）で表される構造を有する物質Ｂからなる固相担体で構成されるポリマーの表面に、糖鎖および／または糖の誘導体を固定化する糖鎖アフィニティビーズの製造方法。
【００５７】
【化２４】
0005485449.tif 000025
【００５８】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【００５９】
【化２５】
0005485449.tif 000026
【００６０】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
（５２）（５１）項に記載の糖鎖アフィニティビーズの製造方法において、
前記ポリマー粒子の表面に下記（工程１）〜（工程３）によって糖鎖および／または糖の誘導体を固定化することを特徴とする糖鎖アフィニティビーズの製造方法。
（工程１）糖鎖および／または糖の誘導体と可溶性のヒドラジド基含有化合物とを結合させ、所定の分離手段によって糖鎖および／または糖の誘導体を、精製、および／または単離する工程。
（工程２）工程１で得られた化合物を、前記ポリマー粒子と接触させ、所定の条件でインキュベートすることにより、糖鎖−ヒドラジド基含有化合物の結合を、糖鎖−ポリマー粒子の結合に交換させ、糖鎖および／または糖の誘導体をポリマー粒子に固定化する工程。
（工程３）ポリマー粒子上の未反応物を洗浄除去する工程。
（５３）（５１）項または（５２）項に記載の方法により製造される糖鎖アフィニティビーズ。
（５４）（５３）項に記載の糖鎖アフィニティビーズに検体を含む溶液を接触させ、所定の条件でインキュベートおよび洗浄操作を行った後に、捕捉された糖結合性物質を単離するシステム。
を提供する。
【００６１】
本発明によれば、糖鎖および／または糖の誘導体を含む生体試料より分析試料のための糖鎖および／または糖の誘導体を、簡単な操作で分離精製することを可能にする。
【図面の簡単な説明】
【００６２】
上述した目的、およびその他の目的、特徴および利点は、以下に述べる好適な実
施の形態、およびそれに付随する以下の図面によってさらに明らかになる。
【００６３】
【図１】図１は、糖鎖と2-hydrazinopyridineとの反応物のMALDI-TOF-MSチャートを示す。横軸に分子量（ｍ／ｚ）、縦軸に強度を示す。また、２６６８．４２１（＝ｍ／ｚ）におけるピーク（ａ）、２９７８．００５（＝ｍ／ｚ）におけるピーク（ｂ）および３２６３．７８５（＝ｍ／ｚ）におけるピーク（ｃ）において予測される糖鎖の構造を、●：ガラクトース、■：Ｎ−アセチルグルコサミン、○：マンノース、◆：シアル酸として模式的に表示した；
【図２】図２は、糖鎖と物質Ａの実施例との反応物のMALDI-TOF-MSチャートを示す。横軸に分子量（ｍ／ｚ）、縦軸に強度を示す。各メインピークにおいて予測される糖鎖の構造を、●：ガラクトース、■：Ｎ−アセチルグルコサミン、○：マンノース、◆：シアル酸、三角：フコースとして模式的に表示した；
【図３】図３は、本実施例の糖鎖遊離段階での交換反応のｐＨと交換効率との関係を示すグラフである。横軸にｐＨ、縦軸に交換効率を示す。オキシムからオキシムへの交換を○で示し、オキシムからヒドラゾンへの交換を●で示し、ヒドラゾンからオキシムへの交換を□で示し、ヒドラゾンからヒドラゾンへの交換を■で示す；
【図４】図４は、図３の交換反応で得られた反応物のMALDI-TOF-MSチャートを示す。横軸に分子量（ｍ／ｚ）、縦軸に強度を示す。チャートの上段から、ビーズの官能基がヒドラジドで、遊離試薬がアミノオキシ化合物（ａｏＷＲ）である場合、ビーズの官能基がヒドラジドで、遊離試薬がヒドラジド化合物（ＡｃＷＲｈ）である場合、ビーズの官能基がアミノオキシで、遊離試薬がアミノオキシ化合物（ａｏＷＲ）である場合、ビーズの官能基がアミノオキシで、遊離試薬がヒドラジド化合物（ＡｃＷＲｈ）である場合をそれぞれ示す；
【図５】図５は、実験例７（Ｂ）の（１）の方法で回収した糖鎖のMALDI-TOF-MSチャートを示す。横軸に分子量（ｍ／ｚ）、縦軸に強度を示す。チャートの上段がコントロール（血清糖鎖＋４００μＭの内部標準）であり、中段がフロースルーサンプル（ビーズと未反応の糖鎖）＋４００μＭの内部標準）であり、下段がサンプル（ヒドラジド基含有ビーズに捕捉後、オキシム交換で回収した血清糖鎖＋４００μＭの内部標準）であり、コントロールの定量対象糖鎖の強度を１００％したときに、フロースルーサンプルが１２％（８８％がビーズと結合）、サンプルが５６％であった；
【図６】図６は、実験例７（Ｂ）の（２）の方法で回収した糖鎖のMALDI-TOF-MSチャートを示す。横軸に分子量（ｍ／ｚ）、縦軸に強度を示す。チャートの上段から、Affi-Gel  Hzを５０μｌ（乾燥重量１６．５ｍｇ）、１００μｌ（乾燥重量３３ｍｇ）、１５０μｌ（乾燥重量４９．５ｍｇ）、およびヒドラジド基含有ビーズを２．５ｍｇ使用したときの結果を示す；
【図７】図７は、実施例８（１）の方法で回収した糖鎖のMALDI-TOF-MSチャートを示す。横軸に分子量（ｍ／ｚ）、縦軸に強度を示す。チャートの上段から、反応前、ビーズとの反応後、ビーズ未使用（ネガティブコントロール）での結果を示す；
【図８】図８は、実施例９（２）のレクチン捕捉性の検証の結果を示すグラフである。縦軸には４５０ｎｍにおける吸光度を示す。レクチン濃度が１μｇ／ｍｌであり、●２．５μｍｏｌ／ｇ単糖固定化（飽和量）●である；
【図９】図９は、実施例１０（２）のレクチン捕捉性の検証の結果を示すグラフである。横軸に分子量（ｍ／ｚ）、縦軸に強度を示す。
【発明を実施するための最良の形態】
【００６４】
以下、本発明の実施形態について説明する。
一つの観点から、本発明は、ヒドラジド基を含む物質Ａと、糖鎖および／または糖の誘導体とを、当該物質Ａのヒドラジド基と当該糖鎖および／または糖の誘導体の還元末端との間のヒドラゾン形成によって結合することを特徴とする試料調製方法を提供する。
【００６５】
この試料調製方法で用いられるヒドラジド基を含む物質Ａとしては、端部にヒドラジド基（−ＮＨＮＨ−）を含んでいれば特に限定されることはない。このヒドラジド基が、水溶液などの溶液中で糖鎖より形成される環状のヘミアセタール型と非環状のアルデヒド型との平衡において、アルデヒド基と反応して特異的、かつ、安定な結合を形成して、糖鎖を捕捉することができるようになる。ここで、糖鎖捕捉反応とは、以下に示すような反応をいう。
【００６６】
【化２６】
0005485449.tif 000027
【００６７】
ここで、物質Ａは、低分子化合物、固相担体のいずれの形態をとってもよい。
低分子化合物として用いる場合には、物質Ａは、アルギニン残基、トリプトファン残基、フェニルアラニン残基、チロシン残基、システイン残基およびこれら誘導体の少なくとも一つからなる部分を含むことが、以下の観点から好ましい。
【００６８】
すなわち、アルギニン（Ｒ）残基を含む場合、ＭＡＬＤＩ−ＴＯＦ−ＭＳ測定時にイオン化が促進され、検出感度が向上することが知られている。また、トリプトファン（Ｗ）は蛍光性のアミノ酸であり、かつ疎水性であることから、逆相ＨＰＬＣでの分離性向上と、蛍光検出感度向上を図ることができる。なお、フェニルアラニン（Ｆ）およびチロシン(Ｙ)を用いた場合には、ＵＶ吸収による検出に適している。
【００６９】
また、システインを用いた場合には、側鎖のチオール基を利用して、Ｓ−Ｓ結合により−ＳＨ基を含む他の物質と結合させることができる。例えば、−ＳＨ基を含む固相担体に固定化することが可能となる。また、他の例としては、ＩＣＡＴ法（Isotope-Coded  Affinity  Tags）に利用することができる。
【００７０】
このような物質Ａの一例としては、下記（式１）の構造を有する化合物を挙げることができる。
【００７１】
【化２７】
0005485449.tif 000028
【００７２】
（Ｒは  -CH3または  -CD3を表す）
【００７３】
（式１）の化合物は、以下のスキーム１にしたがって製造することができる。
【００７４】
【化２８】
0005485449.tif 000029
【００７５】
スキーム１において、化合物（ｂ）は、トリプトファン部分のアミノ基がフェニル基などにより保護された化合物（ａ）のＰｄ／Ｃ存在下での水素化による脱保護により得られる。ここで、トリプトファン部分は、フェニルアラニン、チロシン、システインなどにより置換することもできる。
【００７６】
続いて、化合物（ｂ）のトリプトファン側のアミノ基を、水溶性カルボジイミド（ＷＳＣ）、ジメチルアミノピリジン（ＤＭＡＰ）の存在下で、ジメチルホルムアミド（ＤＭＦ）の溶媒中で、酢酸（ＡｃＯＨ）を作用させて、アセチル化して、化合物（ｃ）を得る。
【００７７】
さらに、化合物（ｃ）にメタノール（ＭｅＯＨ）の溶媒中で、ヒドラジンを作用させて、アルギニン側のＣ末端のメトキシ基を、ヒドラジド基に置換して、目的の（式１）の化合物として化合物（ｄ）を得る。
【００７８】
化合物（ｄ）に重水素（Ｄ）を導入する場合には、スキーム１において、化合物（ｂ）に、水溶性カルボジイミド（ＷＳＣ）、ジメチルアミノピリジン（ＤＭＡＰ）の存在下で、ジメチルホルムアミド（ＤＭＦ）の溶媒中で、重水素酢酸（ＣＤ3ＣＯＯＨ）にてアセチル化して、トリプトファン側のアミノ基を重水化アセチル基にてアセチル化した化合物を得る。さらに、この化合物にメタノール（ＭｅＯＨ）の溶媒中で、ヒドラジンを作用させて、アルギニン側のＣ末端のメトキシ基を、ヒドラジド基に置換して、目的の（式１）の化合物として化合物（ｅ）を得る。
【００７９】
また、物質Ａの他の一例としては、下記（式２）の構造を有する化合物を挙げることができる。
【００８０】
【化２９】
0005485449.tif 000030
【００８１】
（Ｒは  H,  -COCH3,  -COCD3のいずれかを示す。）
【００８２】
（式２）の化合物は、以下のスキーム２にしたがって製造することができる。
【００８３】
【化３０】
0005485449.tif 000031
【００８４】
スキーム２において、まず、システインの二量体（化合物（ｔ））に２−アミノ安息香酸（化合物（ｕ））を作用させて、化合物（ｖ）を得る。
【００８５】
この化合物（ｖ）に無水酢酸を作用させて、２−アミノベンゾイル基のアミノ基をアセチル化させて、化合物（ｑ）が得られる。このとき、無水酢酸である化合物（ｏ）を用いることにより軽水素化化合物（ｑ−１）が得られ、一方重水素化無水酢酸である化合物（ｐ）を用いることにより重水素化化合物（ｑ−２）が得られる。
【００８６】
続いて、化合物（ｑ−１）または（ｑ−２）と、ヒドラジンとを反応させて、化合物（ｒ）が得られる。なお、化合物（ｒ）においてＲがアセチル基（-COCH3）であるときは軽水素化物（ｒ−１）が得られ、Ｒが重水素化アセチル基（-COCD3）であるときは重水素化物（ｒ−２）が得られる。
【００８７】
さらに、化合物（ｒ）にＤＴＴなどの還元剤を用いて還元し、ジスルフィド結合を切断して、アミノ基がアセチル化された２−アミノベンゾイル基と、システインとを有する、（式２）のヒドラジド基含有化合物が得られる。なお、化合物（ｒ）においてＲがアセチル基（-COCH3）であるときは軽水素化物（ｓ−１）が得られ、Ｒが重水素化アセチル基（-COCD3）であるときは重水素化物（ｓ−２）が得られる。
【００８８】
以上のように、物質Ａにアルギニン残基、トリプトファン残基、フェニルアラニン残基、チロシン残基、システイン残基およびこれら誘導体を導入することにより、捕捉された糖鎖に質量分析の高感度化や，蛍光・ＵＶ標識化などの機能を付与することが可能となる。
【００８９】
また、（式２）に示したように、２−アミノベンゾイル基などのクロモフォアまたはフルオロフォアを分子中に含んでいてもよく、このような基としては、２−アミノベンゾイル基の他にはベンジル基、ナフチル基、アントラセニル基、ピリジル基などに代表される芳香族残基、Dansyl基、Fmoc基を含む置換基などが挙げられる。このような置換基は、蛍光性を付与するための標識化合物であり、糖鎖のＨＰＬＣ分析に一般的に使用されている。したがって、この置換基を導入した物質Ａにより捕捉した糖鎖および／または糖の誘導体を標識化サンプルとすることができる。この標識化サンプルを用いることにより、物質Ａにより捕捉された糖鎖および／または糖の誘導体を、逆相カラムを用いたＨＰＬＣにて高分解能、高感度で分析することが可能になる。
【００９０】
また、（式１）、（式２）にて説明したように、重水素化された置換基、例えば重水素化アセチル基などを含んでいてもよい。このような重水素化された官能基を含むものは、質量分析による検出感度を向上させ、定性および定量が可能になる。
【００９１】
例えば、（式１）、（式２）の物質Ａを用いて重水素化されたサンプルおよび軽水素化されたサンプルを組み合わせて用いることにより、例えば未知の糖鎖含有サンプル（例えば、血清を処理したもの）に含まれる糖鎖の質量分析による定性および定量分析が可能になる。
【００９２】
これにより、例えば組成も濃度も既知のサンプルを重水素標識化し、未知のサンプルを軽水素標識化して、両サンプルを混合してから質量分析を行った場合、重水素化サンプルの各ピークは軽水素化サンプルの対応する各ピークよりも導入した重水素の数だけ高分子量の方にシフトして観測される。そこで、各ピークの位置（ｍ／ｚ値）および強度を解析して、未知のサンプルの各ピークが示す糖鎖の種類と、そのサンプル中の濃度とがわかる。このような解析は、既知サンプルを軽水素化し、未知サンプルを重水素化することによっても可能である。
【００９３】
また、この解析において、健常人から採取したサンプルを重水素化し、疾病患者から採取したサンプルを軽水素化することにより、あるいは健常者サンプルを軽水素化し、疾病患者サンプルを重水素化することにより、両者のサンプル中に含まれる糖鎖の種類、量における相違を解析することが可能になる。したがって、このような分析試料は、糖の代謝が関与する生体反応に基づく疾病の診断、このような生体反応を制御することによる治療などの用途に好適に使用される。
【００９４】
物質Ａについて、（式１）および（式２）の構造を有する化合物について説明したが、物質Ａは下記から選ばれる物質またはその塩であってもよい。
【００９５】
（物質Ａ）：5-Dimethylaminonaphthalene-1-sulfonyl  hydrazine  (Dansylhydrazine)；  2-hydrazinopyridine；9-fluorenylmethyl  carbazate  (Fmoc  hydrazine)；benzylhydrazine；4,4-difluoro-5,7-dimethyl-4-bora-3a,4a-diaza-s-indacene-3-propionic  acid,  hydrazide；2-(6,8-difluoro-7-hydroxy-4-methylcoumarin)acetohydrazide；7-diethylaminocoumarin-3-carboxylic  acid,  hydrazide  (DCCH)；phenylhydrazine；1-Naphthaleneacethydrazide；2-hydrazinobenzoic  acid；biotin  hydrazide；phenylacetic  hydrazide
【００９６】
また、これらの化合物に、捕捉された糖鎖を高精度かつ高感度に検出するという観点から、クロモフォアまたはフルオロフォアを含む部位を導入してもよく、また重水素を導入してもよい。
【００９７】
ここで、糖鎖捕捉反応、すなわち物質Ａと糖鎖および／または糖の誘導体との反応は、糖鎖および／または糖の誘導体を含む試料に、物質Ａを導入して、ｐＨが４〜８の条件にて、また反応温度が４〜９０℃、好ましくは２５〜９０℃、より好ましくは４０〜９０℃の条件における反応系で、１０分間〜２４時間、好ましくは１０分間〜８時間、より好ましくは１０分間〜２時間行われる。
【００９８】
また、固相担体として用いる場合には、物質Ａは、下記（式３）で表される。
【００９９】
【化３１】
0005485449.tif 000032
【０１００】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０１０１】
式３において、担体は、無機物質または有機高分子物質からなるポリマーマトリックスであり、粒子、固相基板、または固相基板の表面に直接結合する物質の形態として用いられる。
【０１０２】
ここで、担体として用いることができる無機物質としては、粒子状のものを用いることができ、例えばシリカ粒子、アルミナ粒子、ガラス粒子、金属粒子などが挙げられる。
【０１０３】
また、有機高分子物質としては、アガロース、セファロースに代表される多糖類ゲル、ビニル化合物の重合体であるポリマーを粒子状にしたもの、固相基板の表面に固定化したものが挙げられる。また、これら物質を用いて固相基板の表面を構成してもよい。
【０１０４】
また、粒子としたときの形状は球であることが好ましく、平均粒径０．１μｍ以上５００μｍ以下のポリマー粒子である。このような範囲の粒径を有する担体の粒子は、遠心分離，フィルタなどによる回収が容易であり、かつ、充分な表面積を有しているために糖鎖との反応効率も高いと考えられる。粒径が上記の範囲よりも大幅に大きい場合、表面積が小さくなるために糖鎖との反応効率が低くなることがある。また、粒径が上記の範囲よりも大幅に小さい場合、特にフィルタによる粒子の回収が難しくなることがある。さらに、粒子をカラムに充填して用いる場合、粒径が過小であると通液の際の圧力損失が大きくなってしまうことがある。
【０１０５】
また、固相基板としては、マイクロプレート、平板状の基板が挙げられる。このようにすることで、物質Ａを糖鎖マイクロアレイ用基板に適用して、分析試料を調製することが可能になる。
【０１０６】
Ｒは、−Ｏ−，−Ｓ−，−ＮＨ−，−ＣＯ−，−ＣＯＮＨ−で中断されてもよい炭素数１〜２０の炭化水素鎖を示し、例えば下記のものを挙げることができる。下記式中、ａ、ｂ、ｄは１から５の整数を表し、ｃは１から１０の整数を表す。
【０１０７】
【化３２】
0005485449.tif 000033
【０１０８】
ここで、糖鎖捕捉反応は、上述のような粒子状の物質Ａをカラムなどに充填して糖鎖および／または糖の誘導体を含む試料を通してもよい（連続式）し、この粒子を試料中に投入して行ってもよい（回分式）。また、粒子が予め充填された反応容器内に試料を連続的に投入して攪拌して行ってもよい（半回分式）。
【０１０９】
また、上記（式３）で表される物質Ａは、重合性基を含むカルボン酸エステルモノマーを含む原料を架橋剤存在下で重合させてカルボン酸エステル含有ポリマー粒子を得た後、当該カルボン酸エステル含有ポリマー粒子を１０体積パーセント以上の濃度のヒドラジン溶液で処理することにより得ることができる。したがって、別の観点からは、本発明は、このような（式３）で表される物質Ａの製造方法を提供する。
【０１１０】
ここで、カルボン酸エステルモノマーとしては、カルボン酸のＮ−ヒドロキシスクシンイミドエステル、カルボン酸メチルエステルが挙げられる。
【０１１１】
また、架橋剤としては、多官能の化合物であって、カルボン酸エステルモノマーと共重合を行う化合物を好適に用いることができ、例えば（１）ポリオールのジまたはトリ（メタ）アクリル酸エステル類、例えばポリオールがエチレングリコール、プロピレングリコール、トリメチロールプロパン、グリセリン、ポリオキシエチレングリコール、ポリオキシプロピレングリコール、ポリグリセリン等であるもの、（２）上記（１）において、不飽和酸が（メタ）アクリル酸以外のもの、例えばマレイン酸、フマル酸などであるもの、（３）ビスアクリルアミド類、例えばＮ，Ｎ'−メチレンビスアクリルアミドなど、（４）ポリエポキシドと（メタ）アクリル酸を反応させて得られるジまたはトリ（メタ）アクリル酸エステル類、（５）ポリイソシアネートと（メタ）アクリル酸ヒドロキシエステルを反応させて得られるジ（メタ）アクリル酸カルバミルエステル類、例えばポリイソシアネートがトリレンジイソシアネート、ヘキサメチレンジイソシアネートなどであるもの、（６）多価アリル化合物、例えばアリル化デンプン、アリル化セルロース、ジアリルフタレート、テトラアリロキシエタン、ペンタエリストールトリアリルエーテル、トリメチロールプロパントリアリルエーテル、ジエチレングリコールジアリルエーテル、トリアリルトリメリテート等が挙げられる。これらの中でも本発明では、エチレングリコールジ（メタ）アクリレート、プロピレングリコールジ（メタ）アクリレート、Ｎ，Ｎ'−メチレンビス（メタ）アクリルアミド等が好ましい。
【０１１２】
すなわち、（式３）で表される物質Ａは、下記のような構造をとるものを用いることができる。
−(ヒドラジド基含有化合物成分)m−(架橋剤成分)n−
このような構造を有する物質Ａとしては、下記の（式４）で表される架橋型ポリマー構造を有するものが挙げられる。
【０１１３】
【化３３】
0005485449.tif 000034
【０１１４】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
【０１１５】
Ｒ1は、−Ｏ−，−Ｓ−，−ＮＨ−，−ＣＯ−，−ＣＯＮＨ−で中断されてもよい炭素数１〜２０の炭化水素鎖を示し、例えば前記Ｒと同様のものを挙げることができる。
【０１１６】
Ｒ2は、−Ｏ−，−Ｓ−，−ＮＨ−，−ＣＯ−，−ＣＯＮＨ−で中断されてもよい炭素数１〜２０の炭化水素鎖を示し、例えば下記のものを挙げることができる。下記式中、ｅ、ｆは１から５の整数を表し、ｇは１から１０の整数を表す。
【０１１７】
【化３４】
0005485449.tif 000035
【０１１８】
Ｒ3、Ｒ4、Ｒ5は、それぞれ同一であっても異なっていてもよく、Ｈ，ＣＨ3，または炭素数２〜５の炭化水素鎖を示し、例えば下記のものを挙げることができる。下記式中、ｈは１から４の整数を表す。
【０１１９】
【化３５】
0005485449.tif 000036
【０１２０】
ここで、ヒドラジド基含有化合物成分の前駆体であるカルボン酸エステルモノマーとしては、下記の（式１０）で表されるカルボン酸メチルエステルモノマーを好適に用いることができる。また、架橋剤成分としては前記の架橋剤を用いることができる。
【０１２１】
【化３６】
0005485449.tif 000037
【０１２２】
（Ｒ1は−Ｏ−，−Ｓ−，−ＮＨ−，−ＣＯ−，−ＣＯＮＨ−で中断されてもよい炭素数１〜２０の炭化水素鎖，Ｒ2はＨ，ＣＨ3，または炭素数２〜５の炭化水素鎖を示す。）
【０１２３】
Ｒ1およびＲ2の具体例は、前述した（式４）で挙げられたものと同様のものである。
【０１２４】
すなわち、（式４）で表される物質Ａは、（式１０）の構造を有するモノマーを架橋剤存在下で重合してカルボン酸エステル含有ポリマー粒子を得た後、当該カルボン酸エステル含有ポリマー粒子を１０体積パーセント以上の濃度のヒドラジン溶液で処理することにより得ることができる。
【０１２５】
さらなる観点からは、本発明は、（式１０）で表されるモノマー、このモノマーを重合させて得られる重合体、および、上述したように、この（式１０）を用いて（式４）の物質Ａを得る製造方法を提供する。
【０１２６】
また、この製造方法では、カルボン酸エステルモノマーを出発物質とし、このモノマーを架橋剤の存在下で重合させてポリマー粒子を得た後に、ヒドラジン溶液で処理して（式４）の物質Ａを得ているが、例えば下記の（式１３）のヒドラジド基含有モノマーを出発物質として、このモノマーを前述したような架橋剤の存在下で重合させた後に、脱保護することによっても、（式４）の物質Ａを得ることができる。
【０１２７】
【化３７】
0005485449.tif 000038
【０１２８】
（Ｒ2はＨ，ＣＨ3，または炭素数２〜５の炭化水素鎖，Ｒ6は−Ｏ−，−Ｓ−，−ＮＨ−，−ＣＯ−，−ＣＯＮＨ−で中断されてもよい炭素数１〜２０の炭化水素鎖，[P]は保護基を示す。）
【０１２９】
ここで、Ｒ2の具体例は、前述した（式４）で挙げられたものと同様のものである。
また、Ｒ6は−Ｏ−，−Ｓ−，−ＮＨ−，−ＣＯ−，−ＣＯＮＨ−で中断されてもよい炭素数１〜２０の炭化水素鎖を示し、例えば下記のものを挙げることができる。下記式中、ｉ、ｊは１から５の整数を表す。
【化３８】
0005485449.tif 000039
【０１３０】
また、（式１３）中での保護基［Ｐ］は、Ｂｏｃ、Ｆｍｏｃ、Ｔｍｏｃなどが挙げられる。
【０１３１】
また、保護基［Ｐ］を脱保護する方法としては、通常の酸処理が挙げられる。
さらなる観点からは、本発明は、（式１３）で表されるモノマー、このモノマーを重合させて得られる重合体、および、上述したように、この（式１３）を用いて（式４）の物質Ａを得る製造方法を提供する。
【０１３２】
また、このような（式４）のうち、特に好適な物質Ａとしては、下記の（式５）で表される架橋型ポリマー構造を有するものが挙げられる。
【０１３３】
【化３９】
0005485449.tif 000040
【０１３４】
（ｍ，ｎはモノマーユニット数を示す。）
【０１３５】
ここで、ヒドラジド基含有化合物成分の前駆体であるカルボン酸エステルモノマーとしては、下記の（式１１）で表されるカルボン酸メチルエステルモノマーを好適に用いることができる。また、架橋剤成分としてはエチレングリコールジ（メタ）アクリレートを用いることができる。
【０１３６】
【化４０】
0005485449.tif 000041
【０１３７】
すなわち、（式５）で表される物質Ａは、（式１１）の構造を有するモノマーを架橋剤存在下で重合してカルボン酸エステル含有ポリマー粒子を得た後、当該カルボン酸エステル含有ポリマー粒子を１０体積パーセント以上の濃度のヒドラジン溶液で処理することにより得ることができる。
【０１３８】
さらなる観点からは、本発明は、（式１１）で表されるモノマー、このモノマーを重合させて得られる重合体、および、上述したように、この（式１１）を用いて（式５）の物質Ａを得る製造方法を提供する。
【０１３９】
また、この製造方法では、（式１１）のカルボン酸エステルモノマーを出発物質とし、このモノマーを架橋剤の存在下で重合させてポリマー粒子を得た後に、ヒドラジン溶液で処理して（式５）の物質Ａを得ているが、例えば下記の（式１４）のヒドラジド基含有モノマーを出発物質として、このモノマーを前述したような架橋剤の存在下で重合させた後に、脱保護することによっても、（式５）の物質Ａを得ることができる。
【０１４０】
【化４１】
0005485449.tif 000042
【０１４１】
また、保護基であるt-butoxycarbonyl（Ｂｏｃ）基を脱保護する方法としては、通常の酸処理が挙げられる。
【０１４２】
さらなる観点からは、本発明は、（式１４）で表されるモノマー、このモノマーを重合させて得られる重合体、および、上述したように、この（式１４）を用いて（式５）の物質Ａを得る製造方法を提供する。
【０１４３】
また、（式３）、（式４）、（式５）で表される物質Ａは、乾燥重量１ｍｇ当り１００ｎｍｏｌ以上、好ましくは０．５μｍｏｌ以上のヒドラジド基を有するポリマー粒子であり、ｐＨ３〜８で安定であり、少なくとも１ＭＰａ以下の圧力下で安定であることが、粒子の形状を保ち、かつ、活性なヒドラジド基の含有量が実質的に変化しないという観点から好ましい。また、架橋剤と共重合した粒子なので、溶媒への溶解性が低くなり、さらに物理的強度が十分得られる。さらには、ｐＨ３〜８で切断される部位がない。
【０１４４】
もう一つの観点から、本発明は、前述した試料調製方法により物質Ａと糖鎖および／または糖の誘導体とを結合させる糖鎖捕捉段階と、糖鎖捕捉段階で捕捉された物質Ａと糖鎖および／または糖の誘導体との複合体に、アミノオキシ基またはヒドラジド基を含む物質Ｂを作用させて、前記複合体と前記物質Ｂの間で生じるヒドラゾン−オキシム交換反応またはヒドラゾン−ヒドラゾン交換反応により、前記糖鎖および／または糖の誘導体を前記物質Ａから切り離しつつ前記物質Ｂに結合させる糖鎖遊離段階とを含む試料調製方法を提供する。
【０１４５】
この方法において、糖鎖捕捉段階では、前述したように、物質Ａと、糖鎖および／または糖の誘導体とを、当該物質Ａのヒドラジド基と当該糖鎖および／または糖の誘導体の還元末端との間のヒドラゾン形成によって結合し、糖鎖および／または糖の誘導体を物質Ａに捕捉させる。
【０１４６】
続いて、糖鎖遊離段階では、下記の（反応式１）に示したように、ヒドラゾン−オキシム交換反応またはヒドラゾン−ヒドラゾン交換反応を行う。
【０１４７】
【化４２】
0005485449.tif 000043
【０１４８】
ここで、物質Ａは、前述にて説明したものを用いることができる。
また、物質Ｂは、低分子化合物、固相担体のいずれの形態をとってもよい。
【０１４９】
低分子化合物として用いる場合には、物質Ａと同様に、アルギニン残基、トリプトファン残基、フェニルアラニン残基、チロシン残基、システイン残基およびこれら誘導体の少なくとも一つからなる部分を含むことが、前述したような観点から好ましい。
【０１５０】
すなわち、物質Ｂにアルギニン残基などを含ませることにより、糖鎖遊離段階を経て得られる、物質Ｂと、糖鎖および／または糖の誘導体との複合体について、ＭＡＬＤＩ−ＴＯＦ−ＭＳ測定での検出感度の向上、逆相ＨＰＬＣでの分離性向上と、蛍光検出感度の向上などを図ることができる。
【０１５１】
このような物質Ｂの一例としては、前記物質Ａで挙げられた低分子化合物、および下記（式７）で表される構造を有する化合物を挙げることができる。また、（式７）において、トリプトファン部分は、フェニルアラニン、チロシン、システインなどにより置換することもできる。
【０１５２】
【化４３】
0005485449.tif 000044
【０１５３】
（構造式中、Ｒは  -CH3,  -CD3を示す。）
【０１５４】
（式７）の化合物は、以下のスキーム３にしたがって製造することができる。なお、Ｒ＝ＣＨ3の場合を示す。
【０１５５】
【化４４】
0005485449.tif 000045
【０１５６】
スキーム３において、化合物（ｂ）（WR-OMe）は、トリプトファン部分のアミノ基がフェニル基などにより保護された化合物の脱保護により得られる。ここで、トリプトファン部分は、フェニルアラニン、チロシンなどにより置換することもできる。続いて、化合物（ｂ）とBoc保護されたヒドロキシアミン（化合物（ｗ））との混合酸無水物法などの縮合反応により、化合物（ｍ）が合成される。このヒドロキシアミンの保護基は、化合物（ｗ）のようなBocに限られることはなく、Fmoc、Trocなどであってもよい。続いて、化合物（ｍ）を脱保護処理することにより、目的物である（式７）の化合物として化合物（ｎ）が得られる。この脱保護処理としては、例えば保護基がＢｏｃである場合には、トリフルオロ酢酸（ＴＦＡ）による処理が挙げられる。
【０１５７】
以上のように、物質Ｂにアルギニン残基、トリプトファン残基、フェニルアラニン残基、チロシン残基、システイン残基およびこれら誘導体を導入することにより、捕捉された糖鎖を高精度かつ高感度に検出することができるようになる。
【０１５８】
また、（式７）に示したように、２−アミノベンゾイル基などのクロモフォアまたはフルオロフォアを分子中に含んでいてもよく、このような基としては、２−アミノベンゾイル基の他にはベンジル基、ナフチル基、アントラセニル基、ピリジル基などに代表される芳香族残基、Dansyl基、Fmoc基を含む置換基などが挙げられる。このような置換基は、蛍光性を付与するための標識化合物であり、糖鎖のＨＰＬＣ分析に一般的に使用されている。したがって、この置換基を導入した物質Ａにより捕捉した糖鎖および／または糖の誘導体を標識化サンプルとすることができる。この標識化サンプルを用いることにより、物質Ａにより捕捉された糖鎖および／または糖の誘導体を、逆相カラムを用いたＨＰＬＣにて高分解能、高感度で分析することが可能になる。
【０１５９】
また、（式７）にて説明したように、重水素化された置換基、例えば重水素化メトキシエステル基などを含んでいてもよい。このような重水素化された官能基を含むものは、質量分析による検出感度を向上させる効果に加えて、例えば標準物質を重ラベル、サンプルを軽ラベルし，混合して測定するなどのように、質量数の差を利用した定量的分析を可能とする。
【０１６０】
これにより、糖鎖遊離段階を経て得られる、物質Ｂと、糖鎖および／糖の誘導体との複合体も、前述したような物質Ａと糖鎖および／または糖の誘導体との複合体にて好適に使用される用途に好適に使用することができる。
【０１６１】
物質Ｂについて、（式７）の構造を有する化合物について説明したが、物質Ｂは下記のヒドラジド基を含む物質またはアミノオキシ基を含む物質からなる群から選ばれる物質または塩であってもよい。
【０１６２】
（ヒドラジド基を含む物質）5-Dimethylaminonaphthalene-1-sulfonyl  hydrazine  (Dansylhydrazine)；2-hydrazinopyridine；9-fluorenylmethyl  carbazate  (Fmoc  hydrazine)；benzylhydrazine；4,4-difluoro-5,7-dimethyl-4-bora-3a,4a-diaza-s-indacene-3-propionic  acid,  hydrazide；2-(6,8-difluoro-7-hydroxy-4-methylcoumarin)acetohydrazide；7-diethylaminocoumarin-3-carboxylic  acid,  hydrazide  (DCCH)；phenylhydrazine；1-Naphthaleneacethydrazide；2-hydrazinobenzoic  acid；phenylacetic  hydrazide。
【０１６３】
（アミノオキシ基を含む物質）O-benzylhydroxylamine；O-phenylhydroxylamine；O-(2,3,4,5,6-pentafluorobenzyl)hydroxylamine；O-(4-nitrobenzyl)hydroxylamine；2-aminooxypyridine；2-aminooxymethylpyridine；4-[(aminooxyacetyl)amino]benzoic  acid  methyl  ester；4-[(aminooxyacetyl)amino]benzoic  acid  ethyl  ester；4-[(aminooxyacetyl)amino]benzoic  acid  n-butyl  ester。
【０１６４】
また、これらの化合物に、捕捉された糖鎖を高精度かつ高感度に検出するという観点から、クロモフォアまたはフルオロフォアを含む部位を導入してもよく、また重水素を導入してもよい。
【０１６５】
ここで、糖鎖遊離段階での反応は、物質Ａと、糖鎖および／または糖の誘導体との複合体を含む試料に物質Ｂを導入して、ｐＨ３〜８、好ましくはｐＨ４〜６に調整し、温度４〜９０℃、好ましくは６０〜９０℃で、１５分〜１６時間、好ましくは１５分〜５時間、より好ましくは３０分〜３時間加熱することによって行われる。溶媒は水およびアセトニトリル、メタノール等に代表される揮発性有機溶媒のいずれか、または、それらの混合溶媒であることが好ましく、より好ましくは水／アセトニトリルの混合溶媒であり、最も好ましくは、ｐＨ調整剤としての２％酢酸を含む水／アセトニトリル（１：９）の混合溶媒である。
【０１６６】
また、固相担体として用いる場合には、物質Ｂは、前述した物質Ａで挙げられた物質、およびアミノオキシ基を含み、例えば下記（式１２）で表される物質を好適に用いることができる。
【０１６７】
【化４５】
0005485449.tif 000046
【０１６８】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０１６９】
式１２において、担体は、（式３）で説明された担体と同様に、無機物質または有機高分子物質からなるポリマーマトリックスであり、粒子、固相基板、または固相基板の表面に直接結合する物質の形態として用いられる。また、Ｒの具体例としては、（式３）での説明にて挙げられたものと同様のものを挙げることができる。
【０１７０】
ここで、糖鎖遊離段階での交換反応は、容器などに導入した糖鎖および／または糖の誘導体を捕捉させた粒子状の物質Ａに対して、低分子化合物の物質Ｂの溶液を添加して行ってよい。また、上述のような粒子状の物質Ｂを容器などに導入して、糖鎖および／または糖の誘導体を捕捉させた低分子化合物の物質Ａの溶液を添加して交換反応を行ってもよい。あるいは、カラムなどに充填させた糖鎖および／または糖の誘導体を捕捉させた粒子状の物質Ａに対して、低分子化合物の物質Ｂの溶液を通して行ってよい。また、上述のような粒子状の物質Ｂをカラムなどに充填して、糖鎖および／または糖の誘導体を捕捉させた低分子化合物の物質Ａの溶液を通して交換反応を行ってもよい。また、糖鎖および／または糖の誘導体を捕捉させた低分子化合物の物質Ａの溶液に、低分子化合物の物質Ｂを導入して交換反応を行ってもよい。
【０１７１】
この交換反応により得られる、物質Ｂと、糖鎖および／または糖の誘導体との複合体において、物質Ｂおよび糖鎖および／または糖の誘導体は、物質Ｂとしてヒドラジド基を有する物質を用いたときはヒドラゾン結合にて、また物質Ｂとしてアミノオキシ基を有する物質を用いたときはオキシム結合にて結合されることになる。
【０１７２】
（式１２）で示される物質Ｂとしては、下記の（式８）で表される構造を有するポリマー粒子を好適に用いることができる。
【０１７３】
【化４６】
0005485449.tif 000047
【０１７４】
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）。また、Ｒ1からＲ5の具体例としては、（式４）での説明にて挙げられたものと同様のものを挙げることができる。
【０１７５】
さらに、このような（式８）で示したポリマー粒子において、下記の（式９）で表される構造を有するポリマー粒子を好適に使用することができる。
【０１７６】
【化４７】
0005485449.tif 000048
【０１７７】
（ｍ，ｎはモノマーユニット数を示す。）
【０１７８】
また、（式１２）、（式８）、（式９）で表される物質Ｂは、ｐＨ３〜８で安定であり、少なくとも１ＭＰａ以下の圧力下で安定であることが、糖鎖捕捉担体用途および固相基板用途の観点から好ましい。
【０１７９】
また、前記糖鎖遊離段階の後に、ヒドラゾン−オキシム交換またはヒドラゾン−ヒドラゾン交換反応を、少なくとも１回以上行ってもよい。これにより、いったん遊離させた糖鎖および／または糖の誘導体に対して、予定された分析方法に適用できるように、さらに任意の標識化合物からなる物質Ｂを作用させて、標識化サンプルを得ることが可能になる。
【０１８０】
ここでは、糖鎖捕捉物質に捕捉された糖鎖を遊離して標識化サンプルを得る方法を説明したが、下記の方法によれば、非標識サンプルを得ることができ、本発明はこのような試料調製方法も提供する。
【０１８１】
このような試料調製方法は、糖鎖およびまたは糖の誘導体を結合させた、前記（式３）、前記（式４）または前記（式５）で表される構造を有する物質Ａを、酸性条件で処理することにより、ヒドラゾン結合を解離させ、糖鎖およびまたは糖の誘導体を遊離させることを特徴としている。
【０１８２】
このときの酸性条件での処理は、０．０１〜１０体積パーセントのトリフルオロ酢酸溶液による処理であり、好ましくは０．０１〜１体積パーセントのトリフルオロ酢酸溶液にて、２５〜８０℃で５〜６０分間行われる。
【０１８３】
このようにして得られる糖鎖サンプルからなる分析試料は、標識化されていないものであり、標識しなくてもよい用途に有用である。
【０１８４】
このようにして、糖鎖および／または糖の誘導体を含む生体試料より分析試料のための糖鎖および／または糖の誘導体を、簡単な操作で分離精製することが可能になる。さらなる観点から、本発明は、この分析試料方法により得られる分析試料を提供する。
【０１８５】
さらに、別の観点から、本発明は、物質Ａを用いて糖鎖を捕捉する段階を含む試料調製方法の用途を提供する。すなわち、本発明は、混合物のまま、または、混合物から特定の画分を単離精製された糖鎖および／または糖の誘導体を固定化した固相担体を、該糖鎖および／または糖の誘導体に対して結合性または親和性を有する物質を捕集するための担持体として用いる使用方法を提供する。
【０１８６】
この使用方法において、まず糖鎖および／または糖の誘導体を含む試料は、混合物のまま、またはこの混合物から特定の画分を単離精製して用いてもよい。また、物質Ａとして固相担体を用い、この固相担体に対して試料溶液を通して、この試料中の糖鎖および／または糖の誘導体を固相担体のヒドラジド基あるいはアミノオキシ基に結合させて、固定化する。
【０１８７】
続いて、この固相担体に対して、診断または検査を行うための検体から採取した試料（以下、「検体試料」という）を作用させて、この検体試料に含まれる糖鎖および／または糖の誘導体に対して結合性または親和性を有する物質、例えばレクチンなどの糖結合性タンパク質を捕集させる。このようにして、検体試料中の糖鎖および／または糖の誘導体を固定化させた固相担体を、検体試料中のレクチンなどを捕集する担持体として使用することができる。
【０１８８】
また、捕集された物質を、検出、定量化することにより、糖鎖と検体細胞の分化増殖、細胞接着、免疫、および細胞の癌化との関係について、より高度な解析を行うことができる。
【０１８９】
さらに、別の観点から、本発明は、前記の糖鎖捕捉段階および糖鎖遊離段階からなる試料調製方法の用途を提供する。
【０１９０】
一つの観点から、本発明は、糖鎖マイクロアレイの製造方法を提供する。
すなわち、この糖鎖マイクロアレイの製造方法は、下記（式３）または（式１２）で表される構造を有する物質Ｂからなる固相担体で構成される固相基板の表面に下記（工程１）〜（工程４）によって糖鎖および／または糖の誘導体を固定化するものである。
【０１９１】
【化４８】
0005485449.tif 000049
【０１９２】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０１９３】
【化４９】
0005485449.tif 000050
【０１９４】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０１９５】
なお、これら物質の具体例は、前述のとおりである。
【０１９６】
（工程１）糖鎖および／または糖の誘導体と可溶性のヒドラジド基含有化合物とを結合させ、所定の分離手段によって糖鎖および／または糖の誘導体を、精製、および／または単離する工程。
（工程２）工程１で得られた化合物の溶液を、前記固相基板上に整列的に点着する工程。
（工程３）点着後の固相基板を所定の条件でインキュベートすることにより、糖鎖−物質Ａの結合を、固相基板−糖鎖の結合に交換する反応を進行させ、糖鎖および／または糖の誘導体を固相基板に固定化する工程。
（工程４）固相基板上の未反応物を洗浄除去する工程。
【０１９７】
（工程１）においては、前述した糖鎖および／または糖の誘導体と、物質Ａとを反応させて、物質Ａに糖鎖および／または糖の誘導体を捕捉させ、所定の分離手段、例えばクロマトグラフィ等の技術を用いて糖鎖および／または糖の誘導体を精製および／または単離する。（工程２）においては、（工程１）で得られる糖鎖および／または糖の誘導体を、固相基板に整列的に点着させる。（工程３）においては、例えばｐＨ５、温度が６０〜９０℃，反応時間が１〜１６時間の条件によりインキュベートし、前述した（反応式１）で示した交換反応を行い、結果として糖鎖および／または糖の誘導体を固相基板に固定化する。（工程４）においては、（工程３）にて未反応であった物質を、バッファなどを用いて通常の方法により洗浄除去する。
【０１９８】
さらなる観点から、本発明はこのような方法により得られる糖鎖マイクロアレイを提供する。この糖鎖マイクロアレイは、例えば検体試料中に含まれる糖鎖および／または糖の誘導体と相互作用する物質の捕集を行うための担持体として使用することができる。これにより、捕集された物質の同定、定量化などを行うことが可能になる。
【０１９９】
さらなる観点から、本発明は、前記の糖鎖マイクロアレイの用途を提供する。
例えば、この糖鎖マイクロアレイの表面に、検体を含む溶液を接触させ、所定の条件でインキュベートおよび洗浄操作を行った後に、固相基板上の点着部位の糖鎖および／または糖の誘導体に捕集された糖結合性物質を検出することにより、固定化された糖鎖および／または糖の誘導体と特異的に結合または吸着する糖結合性物質を探索するシステムが提供される。
【０２００】
この探索システムにおいて、前述したような方法にて、糖鎖および／または糖の誘導体を固定化させた固相基板に、検体（試料）を含む溶液を導入管などから導入して、検体試料を糖鎖および／または糖の誘導体と接触させる。
【０２０１】
さらに、検体試料と、糖鎖および／または糖の誘導体とが接触した状態で、インキュベートを行う。このときのインキュベートの条件は、例えばｐＨ４〜１０、温度が３７℃、反応時間が１〜１６時間である。
【０２０２】
インキュベート処理をした結果、糖鎖および／または糖の誘導体に捕集された糖結合性物質、例えばレクチンなどのタンパク質を検出する。このときの検出方法および手段としては、糖結合性物質が直接に蛍光染色可能ならば、染色後に蛍光スキャナーを用いて蛍光を測定することにより検出する；糖結合性物質が既知であって、かつ、特定の抗体と結合する場合には、その抗体を結合させることにより検出するなどが挙げられる。また、糖結合性物質がタンパク質である場合には、これらに限定されることはなく、その他一般的なタンパク検出方法が適用可能である。
【０２０３】
このように、本システムによれば、捕集された糖結合性物質を検出することにより、固定化された糖鎖および／または糖の誘導体と特異的に結合または吸着する糖結合性物質を探索することが可能になる。これにより、糖鎖と検体細胞の分化増殖、細胞接着、免疫、および細胞の癌化との関係について、より高度な解析を行うことができる。
【０２０４】
また、例えば前述した糖鎖マイクロアレイの用途として、糖鎖マイクロアレイの表面に、検体を含む溶液を接触させ、固相基板上の点着部位の糖鎖および／または糖の誘導体に、前記検体中の糖結合性タンパク質を捕集させ、捕集した量を所定の定量化手段、例えば蛍光・発色等の手段で定量化する結合性タンパク質の認識特異性を評価するシステムが提供される。
【０２０５】
前述したように、糖鎖および／または糖の誘導体を固定化させた固相基板からなる糖鎖マイクロアレイに、検体試料中の糖結合性タンパク質を捕集させて、この捕集量を定量化する。
【０２０６】
本システムによれば、この結果に基づいて、結合性タンパク質の認識特異性を評価することができる。
【０２０７】
さらに、もう一つの観点から、本発明は、前記の糖鎖捕捉段階および糖鎖遊離段階からなる試料調製方法の用途として、糖鎖アフィニティビーズの製造方法を提供する。
【０２０８】
すなわち、この糖鎖アフィニティビーズの製造方法は、下記（式３）または（式１２）で表される構造を有する物質Ｂからなる固相担体で構成されるポリマーの表面に、糖鎖および／または糖の誘導体を固定化するものである。
【０２０９】
【化５０】
0005485449.tif 000051
【０２１０】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０２１１】
【化５１】
0005485449.tif 000052
【０２１２】
（担体はポリマーマトリックス、Ｒは−Ｏ−，−Ｓ−，−ＮＨ−，−ＣＯ−，−ＣＯＮＨ−で中断されてもよい炭素数１〜２０の炭化水素鎖を示す。）
【０２１３】
なお、これら物質の具体例は、前述のとおりである。
【０２１４】
さらに、この糖鎖アフィニティビーズの製造方法において、前記ポリマー粒子の表面に下記（工程１）〜（工程３）によって糖鎖および／または糖の誘導体を固定化する手順としてもよい。
【０２１５】
（工程１）糖鎖および／または糖の誘導体と可溶性のヒドラジド基含有化合物とを結合させ、所定の分離手段によって糖鎖および／または糖の誘導体を、精製、および／または単離する工程。
（工程２）工程１で得られた化合物を、ポリマー粒子と接触させ、所定の条件でインキュベートすることにより、糖鎖−ヒドラジド基含有化合物の結合を、糖鎖−ポリマー粒子の結合に交換させ、糖鎖および／または糖の誘導体をポリマー粒子に固定化する工程。
（工程３）ポリマー粒子上の未反応物を洗浄除去する工程。
【０２１６】
（工程１）においては、前述した糖鎖および／または糖の誘導体と、物質Ａとを反応させて、物質Ａに糖鎖および／または糖の誘導体を捕捉させ、所定の分離手段、例えばクロマトグラフィ等の技術を用いて糖鎖および／または糖の誘導体を精製および／または単離する。なお、このときの糖鎖捕捉反応の条件の一具体例としては、ｐＨ４〜７、反応温度が２５〜９０℃、反応時間が１〜１６時間、具体的にはｐＨ５、反応時間が８０℃、反応時間が１時間の条件が挙げられる。
【０２１７】
（工程２）においては、（工程１）で得られる糖鎖および／または糖の誘導体を、ポリマー粒子と接触させて、所定の条件、例えばｐＨ４〜７、温度が２５〜９０℃、反応時間が１〜１６時間、具体的にはｐＨ５、温度が８０℃、反応時間１時間でインキュベートし、前述した（反応式１）で示した交換反応を行い、結果として糖鎖および／または糖の誘導体をポリマー粒子に固定化する。（工程３）においては、（工程２）にて未反応であった物質を、バッファなどを用いて通常の方法により洗浄除去する。
【０２１８】
なお、糖鎖アフィニティビーズを、糖鎖および／または糖の誘導体を、予めヒドラジド基を有する物質Ａにて捕捉しておいて、物質Ｂにて交換反応を行うことにより製造する手順を挙げたが、これに限定されることはなく、糖鎖および／または糖の誘導体を含む試料を直接、物質Ｂからなる固相担体にて作製したポリマー粒子に接触させることによって、糖鎖アフィニティビーズを製造してもよい。
【０２１９】
さらなる観点から、本発明はこのような方法により得られる糖鎖アフィニティビーズを提供する。また、本発明は、この糖鎖アフィニティビーズの用途として、糖結合性物質を単離するシステムを提供する。
【０２２０】
すなわち、この糖結合性物質を単離するシステムでは、前述の糖鎖アフィニティビーズに、検体（試料）を含む溶液を接触させ、所定の条件でインキュベートおよび洗浄操作を行った後に、捕捉された糖結合性物質が単離される。
【０２２１】
このシステムにおいて、まず、糖鎖アフィニティビーズに検体試料を含む溶液を接触させ、所定の条件、例えばｐＨ４〜１０、温度が３７℃、反応時間が１〜１６ｈ、Ca2+およびMg2+を含む緩衝液中でインキュベートすることにより、糖鎖アフィニティビーズの表面に固定化された糖鎖および／または糖の誘導体に、糖結合性物質が捕集される。さらに、バッファなどを用いて通常の洗浄処理により、糖結合性物質が捕集された糖鎖アフィニティビーズの表面を洗浄する。
【０２２２】
さらに、捕集された糖結合性物質を、糖鎖アフィニティビーズから単離する。このときに、糖鎖アフィニティビーズから、糖結合性物質を遊離させる方法としては、メタノール等の有機溶媒を加え、糖と糖結合性物質を引き離す方法；高濃度（０．１〜１Ｍ）のハプテン糖の溶液を加え、糖結合性物質を引き離す、すなわち加えた高濃度の糖の方にレクチンを移す方法などが挙げられる。
【０２２３】
以上のように、本発明の試料調製方法は、様々な用途に適用することができる。
【実施例１】
【０２２４】
以下の実験例にて、本発明を具体的に説明するが、本発明はこれら実験例に限定されることはない。
【０２２５】
（実験例１）
（Ａ）ヒドラジド基含有化合物の調製
【０２２６】
（低分子ヒドラジド化合物）
１．下記のヒドラジド化合物は市販品を用いた。
5-Dimethylaminonaphthalene-1-sulfonyl  hydrazine  (Dansylhydrazine);  2-hydrazinopyridine;  9-fluorenylmethyl  carbazate  (Fmoc  hydrazine);  benzylhydrazine;  4,4-difluoro-5,7-dimethyl-4-bora-3a,4a-diaza-s-indacene-3-propionic  acid,  hydrazide  (BODIPY  (tm)  FL  hydrazide);  2-(6,8-difluoro-7-hydroxy-4-methylcoumarin)acetohydrazide  (Marina  Blue  (tm)  hydrazide);  7-diethylaminocoumarin-3-carboxylic  acid,  hydrazide  (DCCH);  phenylhydrazine;  1-Naphthaleneacethydrazide;  2-hydrazinobenzoic  acid
【０２２７】
２．AcWRh（物質Ａ）の合成
前述したスキーム１に示すルートでAcWRhを合成した（なお、Acはアセチル基、Wはトリプトファン残基、Rはアルギニン残基、hはヒドラジド基を示す）。
【０２２８】
（１）WR-OMe（化合物（b））の合成    Z-WR-OMe（a）（10  mg,  20  mmol）および10%  Pd/C（10mg）にメタノール（5ml）を加え、水素ガス雰囲気下、室温で２時間攪拌した。反応溶液を水系メンブレンフィルタでろ過することによりPd/Cを除去し、ろ液を減圧濃縮することで目的物である化合物（b）（WR-OMe）を得た。MALDI-TOF-MSによる解析により、目的物の  [M+H]+  イオンをm/z：376に観測した。
【０２２９】
（２）AcWROMe  (c)  の合成
WR-OMe  (b)  (53  mg,  0.14  mmol)  をDMF  1  ml  に溶解し、WSC  (40  mg,  0.20  mmol)、DMAP  (5  mg,  0.041  mmol)  および酢酸  (200  μｌ)  を加え、室温で  3  時間攪拌した。さらに  WSC  (50  mg,  0.26  mmol)  を追加し、終夜攪拌した。反応溶液を濃縮し、得られた残留物をシリカゲルカラムクロマトグラフィー（クロロホルム：メタノール＝１：１）により精製する事で目的とするAcWROMeを得た。1H  NMR  (500  MHz,  CD3OD)δ7.70-7.00  (m,  5H,  indole),  3.62  (s,  3H,  OMe),  1.93  (s,  3H,  Ac)
【０２３０】
（３）AcWRh(d)の合成
AcWROMe  10  mgを10%  ヒドラジン／メタノール  (5  ml)  に溶解し、室温で12時間反応後、濃縮する事によりAcWRh(d)を調製した。MALDI-TOF  MSによる解析により、目的物の[M  +  H]+  イオンをm/z:416.89に観測した。
【０２３１】
一方、上記の手順に従って、アセチル基が重水素置換されたd-AcWRh(e)を調整した。d-AcWROMe:  1H  NMR  (500  MHz,  CD3OD)δ7.59-6.99  (m,  5H,  indole),  3.62  (s,  3H,  OMe),  1.93  (s,  3H,  Ac),  d-AcWRh:MALDI-TOF-MS  [M  +  H]+  m/z:419.94
【０２３２】
（ヒドラジド基含有ポリマービーズの合成）
１．メチルエステル含有モノマーの合成
以下のスキーム４に示すルートでメチルエステル含有モノマーを合成した。
【０２３３】
【化５２】
0005485449.tif 000053
【０２３４】
（１）化合物（h）の合成
無水メタクリル酸  (MAH  :  5  g,  0.03  mol)  (f)  を  100  ml  のクロロホルムに溶解させた溶液を、25  g  の(エチレンジオキシ)  ビス  (エチルアミン)  (EDBEA  :  25  g,  0.17  mol)  (g)  を  100  mlのクロロホルムに溶解させた溶液に氷浴上で滴下投入した。そこへ窒素を封入し、終夜攪拌させた。得られた反応溶液から溶媒を蒸発させて得た残留物を、シリカゲルカラム（展開溶媒：クロロホルム90容／メタノール10容の混合溶媒）にかけて所定のフラクションを分取して、このフラクションから溶媒を蒸発させて化合物(h)を得た。
【０２３５】
（２）化合物（j）の合成
５ｇの化合物（h）（０．０２３ｍｏｌ）を１００ｍｌのクロロホルムに溶解させた溶液に、１．５当量のコハク酸モノメチル（i）および１．５当量の水溶性カルボジイミド化合物（ＷＳＣ）である1-エチル-3-(3-ジメチルアミノプロピル)カルボジイミドを加えて、密栓した。そこへ窒素を封入し、終夜攪拌させた。得られた反応溶液から溶媒を蒸発させて得た残留物を、シリカゲルカラム（展開溶媒：クロロホルム９０体積％／メタノール１０体積％の混合溶媒）にかけて所定のフラクションを分取して、このフラクションから溶媒を蒸発させて化合物（j）を得た。
また、得られた物質は、ＮＭＲ、マトリックス支援レーザイオン化−飛行時間型質量分析器（ＭＡＬＤＩ−ＴＯＦ−ＭＳ）により化合物（j）であることを確認した。
【０２３６】
２．メチルエステル含有ポリマーの合成
以下のスキーム５に示すルートでメチルエステル含有ポリマー粒子を合成した。
【０２３７】
【化５３】
0005485449.tif 000054
【０２３８】
三口フラスコに２５ｍｌの５％ポリビニルアルコール（ＰＶＡ）水溶液を装入し、そこへ窒素をパージした。１ｇの化合物（j）（２．６ｍｍｏｌ）、エチレングリコールジメタクリレート（k）（ＥＧＤＭＡ：（j）に対して５ｍｏｌ％）および１ｍｌのクロロホルムからなる混合物を、前記三口フラスコに導入し、６０℃に保ちながら攪拌して、混合物に含まれるモノマーとしての化合物（j）およびＥＧＤＭＡをＰＶＡ水溶液中に分散させた。続いて、モノマーに対して３重量％の重合開始剤としてのアゾビスイソブチロニトリル（ＡＩＢＮ）を加えて重合を開始させた。６０℃で１６時間反応させた後、生成したポリマー粒子を遠心分離により回収し、メタノールと水とで洗浄した。
【０２３９】
３．ヒドラジド基の導入
ポリマー粒子400  mgを容器にとり、ヒドラジン１水和物4  mlを加えて攪拌し、室温で２時間静置した。反応後、ヒドラジン１水和物を除去し、メタノールで洗浄したのち、１Ｍ塩酸でリンスした。その後さらに純水で洗浄した。
【０２４０】
４．官能基量の定量
ポリマー粒子１mgを容器にとり、N-アセチル-D-ラクトサミン(LacNAc)１μmolを添加し、さらに、２％酢酸を含むアセトニトリル180μｌを加えた。これを80℃で45分間加熱することによりLacNAcとビーズ上のヒドラジド基を反応させた。純水でビーズをリンスして未反応の糖鎖を回収し、それをMALDI-TOF-MS測定により定量（内部標準法）し、ビーズへのLacNAc結合量を求めた。ビーズ１mgあたり0.86μmol(860  nmol)のLacNAcが結合することが分かった。
【０２４１】
（市販のヒドラジド基含有ビーズ）
Bio-Rad社製「アフィゲル-Hz」をそのまま用いた。
１．官能基量の定量
アフィゲル-Hzの分散液50μｌ(ビーズの乾燥重量として16.5  mg)  を容器にとり、LacNAc１μmolを添加し、さらに、２％酢酸を含むアセトニトリル180μｌを加えた。これを80℃で45分間加熱することにより  LacNAcとビーズ上のヒドラジド基を反応させた。純水でビーズをリンスして未反応の糖鎖を回収し、それをMALDI-TOF-MS測定により定量（内部標準法）し、ビーズへのLacNAc結合量を求めた。ビーズ１mg(乾燥重量)  あたり約8nmolのLacNAcが結合することが分かった。
【０２４２】
（Ｂ）アミノオキシ基含有化合物の合成
（アミノオキシ基含有低分子化合物aoWRの合成）    前述したスキーム３にしたがってaoWR（化合物（ｎ））を合成した。（aoはアミノオキシ基を示す）
【０２４３】
（１）Boc-NHOCH2CO-W-R-OMe（化合物（m））の合成    Bocアミノオキシ酢酸（l）（2.5mmol）のＴＨＦ（6ml）溶液を-20℃に冷却した。ついでN-メチルモルホリン（3.0mmol）とギ酸イソブチル（3.0mmol）を添加し、１５分攪拌することで混合酸無水物を調製した。反応溶液を０℃とし、別の反応溶液にて化合物（b）（WR-OMe（3.0mmol））を水（３ｍｌ）に溶解し、炭酸水素ナトリウム（3.0mmol）を添加することにより調製したWR-OMe溶液を混合し、１時間攪拌した。反応溶液を減圧濃縮し、得られた残留物をシリカゲルクロマトグラフィーにより精製することで目的物である化合物（m）（Boc-NHOCH2CO-W-R-OMe）を得た。MALDI-TOF-MSによる解析により、目的物の[M+H]+イオンをm/z：547に観測した。
【０２４４】
（２）NH2OCH2CO-W-R-OMe（化合物（n））の合成
化合物（m）にトリフルオロ酢酸（ＴＦＡ）（2ml）を加え、-20℃で２時間攪拌した。反応液を減圧濃縮し、トルエンを加えて共沸を繰り返してＴＦＡを除去して、目的物である化合物（n）を得た。MALDI-TOF-MSによる解析により、目的物の[M+H]+イオンをm/z：448に観測した。
【０２４５】
一方、上記手順に従って、メチル基の水素が軽水素のもの：aoWR(H)、および重水素のもの：aoWR(D)を調製した。
【０２４６】
（アミノオキシ基含有ポリマービーズの合成）
特許文献：国際公開第2005/097844号パンフレットに記載の方法によりアミノオキシ基含有ポリマー粒子を作製した。
【０２４７】
（実験例２）糖鎖試料の調製
（１）糖タンパク質糖鎖の調製
糖タンパク質としてフェツイン（fetuin）またはリボヌクレアーゼＢ（ribonuclease  B）を試料として用いた。糖タンパク質10  mgを容器に取り、50mM重炭酸アンモニウム溶液に溶解させた。少量の界面活性剤を添加し、60℃で30分インキュベートしたのち、N-glycosidase  F(Roche社製)10unitを添加し、37℃で16時間インキュベートすることで糖鎖を遊離させた。
【０２４８】
（２）血清中に含まれる糖タンパク質糖鎖の調製
ヒト血清5  mLを容器にとり、50mM重炭酸アンモニウム溶液に溶解させた。少量の界面活性剤を添加し、60℃で30分インキュベートしたのち、N-glycosidase  F(Roche社製)5unitを添加し、37℃で16時間インキュベートすることで糖鎖を遊離させた。
【０２４９】
（実験例３）低分子ヒドラジド化合物と糖鎖との反応
（１）市販ヒドラジド化合物と糖鎖との反応
実験例１（Ａ）のヒドラジド化合物を１０ｍＭの濃度でメタノールまたはアセトニトリルに溶解し、ヒドラジド化合物溶液を得た。実験例２（１）のフェツイン糖鎖溶液(500pmol相当)にヒドラジド化合物溶液１μｌを加え、さらにアセトニトリル100μｌを加えた。80℃で45分間加熱することにより糖鎖とヒドラジド化合物とを反応させた。反応後の生成物をMALDI-TOF-MSで測定した。
【０２５０】
図１には、代表的に2-hydrazinopyridineを用いた場合のMALDI-TOF-MSチャートを示すが、糖鎖（図中、構造を模式図で示す）と2-hydrazinopyridineが結合した分子量を示す位置にピークを観測した。他の化合物を用いた場合も同様の結果を得た。
【０２５１】
（２）AcWRhと糖鎖との反応
実験例１（Ａ）のAcWRhを10  mMの濃度でメタノールまたはアセトニトリルに溶解し、ヒドラジド化合物溶液を得た。実験例２（２）の血清糖鎖溶液(血清５μｌ相当量)を容器にとり、ヒドラジド化合物溶液１μｌを加え、さらにアセトニトリル100μｌを加えた。80℃で45分間加熱することにより糖鎖とヒドラジド化合物（AcWRh）とを反応させた。反応後の生成物をMALDI-TOF-MSで測定した。
【０２５２】
図２にはMALDI-TOF-MSチャートを示すが、糖鎖（図中、構造を模式図で示す）とAcWRhとが結合した分子量を示す位置にピークを観測した。
【０２５３】
（実験例４）ヒドラジド基含有ポリマービーズと糖鎖との反応
実験例１（Ａ）のヒドラジド基含有ポリマービーズ2.5mgを容器に測り取った。実験例２（２）の血清糖鎖溶液(血清５μｌ相当量)を加え、さらに、２％酢酸を含むアセトニトリル180μｌを加えた。これを80℃で45分間加熱することにより糖鎖とビーズ上のヒドラジド基とを反応させた。少量の純水でビーズをリンスして未反応の糖鎖を回収し、それをMALDI-TOF-MS測定により定量したところ、80〜90％の糖鎖がビーズに結合したことが分かった。その後、ビーズを0.5％ドデシル硫酸ナトリウム(SDS)水溶液、50%メタノール、4Mグアニジン水溶液、および純水で洗浄して、後述する糖鎖再遊離の実験に供した。
【０２５４】
（実験例５）ラベル化糖鎖の調製
（１）AcWRh(d),AcWRh(e)と糖鎖の結合
キトトリオース水溶液に10等量の実験例１（Ａ）のAcWRh(d)またはd-AcWRh(e)を添加し、酢酸でｐＨ５に調整した。90℃で１時間加熱することによりキトトリオース-AcWRh(d)標識体およびキトトリオース-d-AcWRh(e)標識体を得た。
【０２５５】
（２）aoWR(H),aoWR(D)と糖鎖の結合
キトトリオース水溶液に10等量の実験例１（Ｂ）のaoWR(H)またはaoWR(D)を添加し、酢酸でｐＨ５に調整した。90℃で１時間加熱することによりキトトリオース-aoWR標識体を得た。
【０２５６】
（実験例６）液相での官能基交換反応
以下の交換反応では、ヒドラジド基含有化合物でラベル化した糖鎖をアミノオキシ基含有化合物（またはヒドラジド基含有化合物）と反応させることで、ヒドラゾン−オキシム交換（またはヒドラゾン−ヒドラゾン交換）によりラベルの付け替えを行った。比較として、アミノオキシ基含有化合物でラベル化した糖鎖に対してもラベルの付け替えを試みた。反応の進行はMALDI-TOF-MSにより確認した。
【０２５７】
（Ａ）官能基交換反応
（１）ヒドラゾン−ヒドラゾン交換反応
実験例５（１）のキトトリオース−AcWRh(d)標識体の溶液に10等量の実験例１（Ａ）のd-AcWRh(e)を添加し、酢酸でｐＨ５に調整した。90℃で１時間加熱反応後、反応液の一部を取り出し、内部標準として濃度既知の実験例５（２）のキトトリオース−aoWR(H)標識体と混合した。これをMALDI-TOF-MSで分析し、反応液中に含まれるキトトリオース−AcWRh(d)標識体と、この反応で得られたキトトリオース−d-AcWRh(e)標識体との比率を算出した。
【０２５８】
（２）ヒドラゾン−オキシム交換反応
実験例５（１）のキトトリオース−AcWRh(d)標識体の溶液に10等量の実験例１（Ｂ）のaoWR(H)を添加し、酢酸でｐＨ５に調整した。90℃で１時間加熱反応後、反応液の一部を取り出し、内部標準として濃度既知の実験例５（２）のキトトリオース−aoWR(D)標識体と混合した。これをMALDI-TOF-MSで分析し、反応液中に含まれるキトトリオース−AcWRh(d)標識体と、この反応で得られたキトトリオース−aoWR(H)標識体との比率を算出した。
【０２５９】
（３）オキシム−ヒドラゾン交換反応
実験例５（２）のキトトリオース−aoWR(H)標識体の溶液に10等量の実験例１（Ａ）のAcWRh(d)を添加し、酢酸でｐＨ５に調整した。90℃で１時間加熱反応後、反応液の一部を取り出し、内部標準として濃度既知の実験例５（１）のキトトリオース−d-AcWRh(e)標識体と混合した。これをMALDI-TOF-MSで分析し、反応液中に含まれるキトトリオース−aoWR(H)と、この反応で得られたキトトリオース−AcWRh(d)との比率を算出した。
【０２６０】
（４）オキシム−オキシム交換反応
実験例５（２）のキトトリオース−aoWR(H)標識体の溶液に10等量の実験例１（Ｂ）のaoWR(D)を添加し、酢酸でｐＨ５に調整した。90℃で１時間加熱反応後、反応液の一部を取り出し、内部標準として濃度既知の実験例５（１）のキトトリオース−AcWRh(d)標識体と混合した。これをMALDI-TOF-MSで分析し、反応液中に含まれるキトトリオース−aoWR(H)と、この反応で得られたキトトリオース−aoWR(D)の比率を算出した。
【０２６１】
（Ｂ）官能基交換反応の考察
図３は上記４パターンの交換反応の収率を示したグラフである。
ヒドラゾン−ヒドラゾン交換反応およびヒドラゾン−オキシム交換の効率は、オキシム−ヒドラゾン交換およびオキシム−オキシム交換と比べて高いことがわかる。すなわち、ヒドラゾン結合はオキシム結合よりも交換反応を受けやすいといえる。さらに、ヒドラゾン−ヒドラゾン交換よりも、ヒドラゾン−オキシム交換の方が効率よく進行したこともわかった。
【０２６２】
（実験例７）固相から液相への交換反応
（Ａ）交換反応効率の比較
実験例６における液相での交換反応の結果より、ヒドラゾン−オキシム交換が最も効率よく進行することが分かった。そこで、以下に示したように、固相から液相への交換反応についても同様に反応効率を比較した。
【０２６３】
実験例４で血清糖鎖を捕捉させたヒドラジド基含有ビーズ、および、実験例４と同様の方法で血清糖鎖を捕捉させたアミノオキシ基含有ビーズを用いて比較した。各糖鎖捕捉ビーズに20μｌのaoWR(H)溶液(20mM)、またはAcWRh(H)溶液(20mM)を加え、さらに180μｌの２％酢酸／アセトニトリル溶液を加え、80℃で45分間加熱した。反応後、上清を回収し、MALDI-TOF-MS測定を行った。
【０２６４】
図４はMALDI-TOF-MSチャートである。
チャートのS/N比より明らかに、ヒドラジド基含有ビーズで捕捉し、アミノオキシ化合物で遊離した場合が最も効率がよいことがわかる。この結果は、実験例６における液相での反応効率比較の結果と一致する。
【０２６５】
（Ｂ）交換反応によるビーズからの糖鎖再遊離
（１）ヒドラジド基含有ポリマービーズからの糖鎖再遊離
実験例４において糖鎖を結合させたヒドラジド基含有ポリマービーズに、20μｌのaoWR(H)溶液(20mM)および180μｌの２％酢酸／アセトニトリル溶液を加え、80℃で45分間加熱した。反応後、上清を回収し、内部標準物質（キトテトラオース）を添加してMALDI-TOF-MS測定を行うことにより、糖鎖回収量を算出した。
【０２６６】
（２）市販ビーズ（アフィゲル-Hz）からの糖鎖再遊離
実験例４と同様の方法で血清糖鎖を捕捉させたアフィゲル-Hzに対し、実験例７（Ｂ）の（１）と同様の方法で糖鎖を再遊離させ、回収量を算出した。
【０２６７】
図５には実験例７（Ｂ）の（１）の方法で回収した糖鎖のMALDI-TOF-MSチャートを示す。
内部標準物質のシグナル量から換算した結果、使用した糖鎖のうち56％の量を回収できたことが分かった。
【０２６８】
図６には実験例７（Ｂ）の（２）の方法で回収した糖鎖のMALDI-TOF-MSチャートを示す。同時に実験例７（Ｂ）の（１）にて回収した糖鎖のチャートも併記する。
【０２６９】
マススペクトルのS/N比から、明らかに市販ビーズ使用の場合の糖鎖回収量が少ないことが分かった。ビーズ使用量を３倍まで増やした場合でも、シグナル量でヒドラジド基含有ポリマービーズには及ばないことが分かった。これは上述の通り、市販ビーズの官能基量が本特許のビーズと比較して少ない（約1/100）ためと推測される。
【０２７０】
（実験例８）液相から固相への交換反応
以下に示したように、ヒドラジド化合物で標識化（ヒドラゾン結合）した糖鎖を、アミノオキシ基含有ポリマービーズと接触させることで、液相から固相へのヒドラゾン−オキシム交換反応を行った。この方法は、例えば蛍光性ヒドラジド化合物で糖鎖をラベル化後、ＨＰＬＣ等で糖鎖を単離し、それをビーズと反応させることによって、単離した糖鎖をビーズに固定化するといった応用が可能である。つまり、糖鎖混合物（たとえば糖タンパクから回収した糖鎖）から任意の糖鎖を選び出し、それをビーズ表面に呈示する方法として利用できる。また、応用例において、ビーズのかわりに固相基板も用いることができる。
【０２７１】
（１）ヒドラジン化合物（AcWRh(d)）と糖鎖との結合
実験例１（Ａ）のAcWRh(d)を10mMの濃度でメタノールに溶解した。糖タンパク質であるフェツイン（fetuin）から遊離した糖鎖10pmol相当を容器にとり、ヒドラジド化合物溶液１μｌを加え、さらに２％酢酸を含むアセトニトリル100μｌを加えた。80℃で45分間加熱することにより糖鎖とAcWRh(d)とを反応させた。
【０２７２】
（２）ヒドラジン化合物（d-AcWRh(e)）と糖鎖との結合
実験例８（１）と同様の方法で糖鎖とd-AcWRh(e)とを反応させた。
【０２７３】
（３）交換反応
5  mgのアミノオキシ基含有ポリマービーズを容器にとり、AcWRh(d)と結合した糖鎖を投入した。酢酸緩衝液でｐＨ４に調整し、80℃で１時間反応させた。反応後、上清を回収し、内部標準として濃度既知のd-AcWRh(e)標識化糖鎖を加え、MALDI-TOF-MS測定を行うことにより糖鎖  (代表的にNA3:  Asialo,  galactosylated  triantennary  glycanに注目)  の量を求めた。ネガティブコントロールとして、アミノオキシ基含有ポリマービーズを含まない系を同様に処理した。
【０２７４】
図７にはMALDI-TOF-MSチャートを示す。
アミノオキシ基含有ポリマービーズと反応させた系では、約20％の量の糖鎖しか観測されなかった。一方、ネガティブコントロールでは糖鎖量はほとんど変化しなかった。このことから、約80％量の糖鎖がアミノオキシ基含有ポリマービーズ上に結合したことが分かった。
【０２７５】
（実験例９）単糖固定化ビーズ
（１）単糖固定化ビーズの調製
実験例１（Ｂ）のアミノオキシ基含有ポリマービーズ10mgを容器にとり、ガラクトース  (Gal)、あるいは、N-アセチルグルコサミン(GlcNAc)を10μmol添加した。２％酢酸を含むアセトニトリルを200μｌ添加し、80℃で１時間加熱することで糖をビーズに固定化した。その後、ビーズを0.5％SDS溶液、メタノール、純水で順次洗浄することで莢雑物を除去した。
【０２７６】
（２）レクチン捕捉性の検証
３種類のHRP(horse  radish  peroxidase)標識化レクチン：HRP-Concanavalin  A  (Con  A)、HRP-Wheat  germ  agglutinin  (WGA)、HRP-Ricinus  communis  agglutinin  (RCA120)（レクチンはいずれも生化学工業（株）製）を１μg/mlの濃度でそれぞれbinding  buffer（50mM  Tris/HCl、100mM  NaCl、10mM  CaCl2、10mM  MgCl2、pH7.6）に溶解した。実験例９（１）にて単糖を固定化したビーズ１mgを容器に取り、これにいずれかのレクチン溶液を100μｌ加え、37℃で16時間穏やかに攪拌した。その後、ビーズを0.05％のTween-20を含むbinding  bufferおよびbinding  bufferで各１時間洗浄した。ビーズ上に結合したHRP標識化レクチンをperoxidase発色キット  （住友ベークライト製）で発色させ、溶液の450nmの吸光度を測定することにより、レクチンの結合量を見積もった。
【０２７７】
図８に示すように、GlcNAcを固定化したビーズにはWGAが多く結合し、Galを固定化したビーズにはRCA120が多く結合したことがわかる。WGAはGlcNAcを、RCA120はGalを主に認識することが知られており、本発明の方法を適用して単糖を固定化したビーズは、対応するレクチンを正しく認識・捕捉可能であることが示された。
【０２７８】
（実験例１０）オリゴ糖固定化ビーズ
（１）オリゴ糖固定化ビーズの調製
実験例１（Ｂ）のアミノオキシ基含有ポリマービーズ10mgを容器にとり、実験例２（１）のフェツイン（fetuin）糖鎖あるいはribonuclease  B糖鎖溶液を、糖鎖量に換算して１μmol相当添加した。２％酢酸を含むアセトニトリルを200μｌ添加し、80℃で１時間加熱することで糖鎖をビーズに固定化した。その後、ビーズを0.5％SDS溶液、メタノール、純水で順次洗浄することで莢雑物を除去した。
【０２７９】
（２）レクチン捕捉性の検証
（Concanavalin  A  (Con  A)の捕捉）
実験例１０（１）にてRibonuclease  B糖鎖を固定化済みのビーズ１mgを容器に取った。これにCon  A溶液(10μg/ml)を１μｌ、およびbinding  bufferを100μｌ加え、37℃で16時間穏やかに攪拌することでCon  Aとビーズ上の糖鎖を結合させた。その後、ビーズを0.05％のTween-20を含むbinding  bufferおよびbinding  bufferで各１時間洗浄した。洗浄液を取り除き、ハプテンとして0.5  Mのmethyl-α-mannopyranosideを20μｌ加え、37℃で２時間攪拌することでビーズ上の糖鎖に結合したCon  Aを遊離させた。上清を回収し、トリプシン溶液（Promega  社製  sequence  grade  trypsin）を加え、37℃で16時間静置し、遊離したCon  Aをペプチド断片化した。一部を取ってMALDI-TOF-MS測定を行い、以下のように、データを既知のCon  Aのアミノ酸配列を比較した。
【０２８０】
（１）Con  Aのアミノ酸配列（既知）からトリプシン切断位置を推定し、ペプチド断片の質量数を予測した。また、測定したマススペクトルデータと比較し、一致することを確認した。このとき、ペプチド断片の質量数の予測には「PeptideMass（web上に公開されているツール）」を利用した。
（２）得られたスペクトルのうち代表的なものについてMS/MS解析を行い、「MASCOT  MS/MS  Ion  Search（ペプチド断片のMS/MSデータから元のタンパクを推定するツール）」を用いて解析したところ、正しくCon  A由来であることを確認した。
【０２８１】
図９に示すように、Con  A由来のペプチドと質量数が一致するピークを多数検出した。Ribonuclease  Bに含まれる主な糖鎖はハイマンノース型糖鎖（マンノース残基を多く含む）であり、Con  Aはマンノースを認識し結合する性質がある。これらのことから、ビーズに固定化した糖鎖によってCon  Aを認識・捕捉できることが示された。
【図１】
0005485449.tif 000056
【図３】
0005485449.tif 000057
【図４】
0005485449.tif 000058
【図２】
0005485449.tif 000059
【図５】
0005485449.tif 000060
【図６】
0005485449.tif 000061
【図７】
0005485449.tif 000062
【図８】
0005485449.tif 000063
【図９】
0005485449.tif 000064